(57)【要約】【課題】本発明が解決しようとする課題は、非常用照明装置の点検を容易にする照明システムを提供する。【解決手段】実施形態の照明システム１００は、充電可能な非常用電源と、無線通信を行う無線通信機２とを有し、無線通信機２により情報を送信または受信する複数の照明装置１０からなり、無線通信機２Ｂ〜２Ｄにより情報を送信する子機としての第一照明装置１０Ａ〜１０Ｄと、子機としての第一照明装置１０Ｂ〜１０Ｄから送信された情報を無線通信機２Ａにより受信し、受信した情報を無線通信機２Ａにより端末２０へ送信する親機としての第二照明装置１０Ａとを具備する。子機としての第一照明装置１０Ｂ〜１０Ｄのうち任意の第一照明装置と親機としての第二照明装置１０Ａを任意に変更できる。【選択図】図１
2018120777.tif 000002
【特許請求の範囲】
【請求項１】
充電可能な非常用電源と、無線通信を行う無線通信機とを有し、
前記無線通信機により情報を送信または受信する複数の照明装置であり、
前記照明装置のうち、前記無線通信機により情報を送信する子機としての第一照明装置と、
前記照明装置のうち、前記複数の子機としての第一照明装置の各々から送信された前記情報を前記無線通信機により受信し、受信した前記情報を前記無線通信機により端末へ送信する親機としての第二照明装置と、
を備え、前記照明装置は前記複数の子機としての第一照明装置のうち任意の第一照明装置と前記親機としての第二の照明装置を任意に変更できることを特徴とする照明システム。
【請求項２】
前記複数の子機としての第一照明装置は、前記複数の子機としての第一照明装置間で双方に情報を通信できることを特徴とする請求項１に記載の照明システム
【発明の詳細な説明】
【技術分野】
【０００１】
本発明の実施形態は、照明システムに関する。
【背景技術】
【０００２】
従来、非常時に非常用電源を用いて点灯する非常用の照明装置や避難経路等への誘導のために点灯する誘導用の照明装置が提供されている。そして、近年、これらの照明装置の点検作業を容易化するために、照明装置に、外部装置と無線通信が可能である無線通信機を搭載した構成も提案されている。
【先行技術文献】
【特許文献】
【０００３】
【特許文献１】特開２００４−１８５９７８号公報
【発明の概要】
【発明が解決しようとする課題】
【０００４】
非常用照明装置は、法令により非常用照明装置の点検を定期的にことが定められている。非常用照明装置の定期的な点検は、例えば、点検者が非常用照明装置を規定の点検時間以上連続して点灯するか否かを確認する。しかし、非常用照明装置の定期的な点検は、点検が煩雑になり点検者等の負担を増大させる。
【課題を解決するための手段】
【０００５】
実施形態の照明システムは、充電可能な非常用電源と、無線通信を行う無線通信機とを有し、無線通信機により情報を送信または受信する複数の照明装置からなり、無線通信機により情報を送信する子機としての第一照明装置と、子機としての第一照明装置のから送信された情報を無線通信機により受信し、受信した情報を無線通信機により端末へ送信する親機としての第二照明装置とを具備する。子機としての第一照明装置のうち任意の第一照明装置と親機としての第二照明装置を任意に変更できる。
【発明の効果】
【０００６】
本発明によれば、非常用照明装置の点検を容易化できる。
【図面の簡単な説明】
【０００７】
【図１】実施形態の照明システムの構成を示す図である。
【図２】同上非常用照明装置の構成を示すブロック図である。
【図３】実施形態の照明システムの処理シーケンスの一例を示す図である。
【図４】実施形態の照明システムの処理シーケンスの一例を示す図である。
【図５】実施形態の照明システムの処理シーケンスの一例を示す図である。
【図６】実施形態の照明システムの照明装置が実行する処理の流れの一例を示すフローチャートである。
【発明を実施するための形態】
【０００８】
以下で説明する実施形態に係る照明システム１００は、複数の非常用照明装置である子機としての第一照明装置１０Ｂ、１０Ｃ、１０Ｄと、非常用照明装置である親機としての第二照明装置１０Ａと、端末２０とを具備する。
【０００９】
非常用照明装置１０Ａ、１０Ｂ、１０Ｃ、１０Ｄ、１０Ｅは、施設内に所定の間隔で設
【００１０】
置されており、例えば災害が発生した場合や商用電源４０が喪失した場合等の非常時に、
【００１１】
非常用電源４を用いて施設内を照明する。
【００１２】
第一照明装置１０Ｂ、１０Ｃ、１０Ｄと第二照明装置１０Ａは、停電時などの非常時に点灯する非常灯または誘導灯である。端末２０は、例えば、スマートフォンやタブレット端末等の携帯端末である。
【００１３】
第一照明装置１０Ｂ、１０Ｃ、１０Ｄの各々は、充電可能な非常用電源４と、無線通信を行う無線通信機２とを有し、非常用電源４の充電状態などの点検結果を無線通信機２を用いて第二照明装置１０Ａ、または他の第一照明装置に送信する。
【００１４】
第二照明装置１０Ａは、充電可能な非常用電源４と、無線通信を行う無線通信機２とを有し、自身の非常用電源４の充電状態などの点検結果、および無線通信機２で受信した第一照明装置１０Ｂ、１０Ｃ、１０Ｄから送信された点検結果を無線通信機２により端末２０へ送信する。  
【００１５】
第一照明装置１０Ｂ、１０Ｃ、１０Ｄ、および第二照明装置１０Ａの各々には、各々を一意に識別可能なＭＡＣ（Media Access Control ）アドレスが付されている。第二照明装置１０Ａは、非常用ランプ１Ａと、無線通信機２Ａとを有する。同様に、第一照明装置１０Ｂは、非常用ランプ１Ｂと、無線通信機２Ｂとを有する。また、第一照明装置１０Ｃは、非常用ランプ１Ｃと、無線通信機２Ｃとを有し、第一照明装置１０Ｄは、非常用ランプ１Ｄと、無線通信機２Ｄとを有する。
【００１６】
第一照明装置１０Ｂ、１０Ｃ、１０Ｄと第二照明装置１０Ａとの間の通信方式および、第二照明装置１０Ａと端末２０との間の通信方式は、例えば、ＢＬＥ（Bluetooth（登録商標）Low  Energy）などのメッシュネットワークが可能な無線通信方式である。
【００１７】
第一照明装置１０Ｂ、１０Ｃ、１０Ｄにおいて、第二照明装置１０Ａと直接通信を行えない第一照明装置(例えば、１０Ｂ、１０Ｃ)は、第二照明装置１０Ａへ直接点検結果を送信する。また、第一照明装置１０Ｃは、第一照明装置１０Ｂを介して、第二照明装置１０Ａへ点検結果を送信できる。
【００１８】
また、第二照明装置１０Ａと距離が離れており直接通信を行えない第一照明装置(例えば、１０Ｄ)は、第二照明装置１０Ａと直接通信を行える他の第一照明装置（例えば、１０Ｃ）を介して、点検結果を第一照明装置１０Ａへ送信する。
【００１９】
また、図１では第二照明装置１０Ａと端末２０が直接通信する一例を示したが、端末２０はＢＬＥを用いて第一照明装置１０Ｂ、１０Ｃ、１０Ｄとも通信することができる。
【００２０】
図２に非常用照明装置である第一照明装置１０Ｂ、１０Ｃ、１０Ｄおよび第二照明装置１０Ａの構成例を示す。以下では、第一照明装置１０Ｂ、１０Ｃ、１０Ｄおよび第二照明装置１０Ａを共通して称する場合は、非常灯照明装置１０として記載する。非常用照明装置１０は、非常用ランプ１と、無線通信機２と、制御部３と、非常用電源４と、点検部５と、格納部６とを有する。非常用照明装置１０は、商用電源４０に接続されている。
【００２１】
非常用ランプ１は、例えばＬＥＤランプであり、商用電源４０による電力供給が停止した場合に非常用電源４の電力により点灯する。
【００２２】
無線通信機２は、ＢＬＥなどのメッシュネットワークが可能な無線通信方式により、他の無線通信機２または端末２０と無線通信を行う。
【００２３】
制御部３は、非常時以外の常時に商用電源４０により非常用電源４を充電し、非常時に
【００２４】
非常用ランプ１を非常用電源４により点灯させるように制御する。また、制御部３は、常時に無線通信機２、点検部５及び格納部６を商用電源４０または非常用電源４により動作させる。
【００２５】
非常用電源４は、商用電源４０による電力を充電可能な電池であり、商用電源４０による電力供給が停止した場合に電力を供給する。
【００２６】
点検部５は、非常用電源４の所定の点検を行う。点検部５は非常用電源４の電圧、電流、温度、放電時間及び放電回数を検知することにより非常用照明装置１０の点検を行う。点検結果は、無線通信機２を介して他の無線通信機２または端末２０に出力される。
【００２７】
格納部６は、点検部５から入力される点検結果の情報を格納するメモリである。また、格納部６は、他の無線通信機２から出力された点検結果の情報を格納してもよい。
【００２８】
非常用照明装置１０Ａ、１０Ｂ、１０Ｃ、１０Ｄは図２に示すように装置構成は同じであるが、第一照明装置１０Ｂ、１０Ｃ、１０Ｄと、第二照明装置１０Ａの無線通信機２のプログラムの設定が異なる。この設定は変更が可能であり、第一照明装置１０Ｂ、１０Ｃ、１０Ｄの何れかを第二照明装置１０Ａの設定に変更することができる。また、第二照明装置１０Ａの設定を第一照明装置としての設定に変更することができる。
【００２９】
次に、端末２０を用いて非常用照明装置１０の点検情報を得る動作を図３ないし図５を用いて説明する。
【００３０】
図３に示すように、端末２０から第二照明装置１０Ａへ第一照明装置１０Ｂの点検情報の要求信号が送信されると、第二照明装置１０Ａは第一照明装置１０Ｂへ要求信号を送信する。要求信号を受信した第一照明装置１０Ｂは、自身の点検情報を第二照明装置１０Ａへ送信する。点検情報を受信した第二照明装置１０Ａは端末２０へ点検情報を送信し、点灯情報を受信した端末２０は、端末２０の画面に受信結果を表示する。
【００３１】
また、図４に示すように、端末２０から第二照明装置１０Ａへ第一照明装置１０Ｃの点検情報の要求信号が送信された場合も同様に、第二照明装置１０Ａは第一照明装置１０Ｃへ要求信号を送信し、第一照明装置１０Ｃの点検情報は第二照明装置１０Ａを介して端末２０へ送信される。また、第二照明装置１０Ａから第一照明装置１０Ｃへ送信される要求信号及び第一照明装置１０Ｃから第二照明装置１０Ａへ送信される点検情報は第一照明装置１０Ｂを介して送信されてもよい。点検情報を受信した第二照明装置１０Ａは端末２０へ点検情報を送信し、点灯情報を受信した端末２０は、端末２０の画面に受信結果を表示する。
【００３２】
また、端末２０からの点検情報の要求は、1台ずつの点検情報を要求するだけではなく、第二照明装置１０Ａと第一照明装置１０Ｂ、１０Ｃ、１０Ｄの点検情報を一括して要求することができる。
【００３３】
また、図５に示すように、第一照明装置１０Ｂ、１０Ｃ、１０Ｄはそれぞれ定期的に点検が行われ第二照明装置１０Ａへ送信する。第二照明装置１０Ａは、格納部６に第一照明装置１０Ｂ、１０Ｃ、１０Ｄの点検情報を格納する。端末２０から第二照明装置１０Ａへ要求信号が送信されると、第二照明装置１０Ａは受信した要求内容に該当する情報を格納部６から選択し端末２０へ返信する。点検情報を受信した第二照明装置１０Ａは端末２０へ点検情報を送信し、点灯情報を受信した端末２０は、端末２０の画面に受信結果を表示する。点検情報を受信した第二照明装置１０Ａは端末２０へ点検情報を送信し、点灯情報を受信した端末２０は、端末２０の画面に受信結果を表示する。
【００３４】
また、図３ないし図５では、端末２０が第一照明装置１０Ｂ、１０Ｃの点検情報を要求する一例を示したが、端末２０が第二照明装置１０Ａの点検情報を要求する場合は、端末２０から第二照明装置１０Ａに点検情報の要求信号が送信され、信号を受信した第二照明装置１０Ａは自身の点検情報を端末２０へ送信する。
【００３５】
このように、親機としての第二照明装置１０Ａが自身の情報と、子機としての第一照明装置１０Ｂ、１０Ｃ、１０Ｄの情報を集約し端末２０へ送信することで、使用者は第二照明装置１０Ａ付近から移動せずに非常照明装置１０Ａ、１０Ｂ、１０Ｃ、１０Ｄの情報を得られるため、点検作業が容易になる。
【００３６】
次に、図６を参照して、照明装置１０の第二照明装置と第一照明装置を任意に変更する流れの一例を説明する。変更方法は、端末２０から照明装置１０へ、第二照明装置に設定変更する信号（第二照明装置に設定したい照明装置のＭＡＣアドレス）を送信することで、変更信号と同じＭＡＣアドレスを有する照明装置が第二照明装置に設定変更される。
【００３７】
図６は、実施形態に係る照明装置の第一照明装置と第二照明装置の設定を変更する流れの一例を示すフローチャートである。
【００３８】
図６に示すように、照明装置１０は、端末２０または他の照明装置１０から第二照明装置変更信号を受信したかを判定し（ステップ１）、受信していない場合は設定を変更せず待機する。一方、受信した場合は、新たな第二照明装置のＭＡＣアドレスを受信する(ステップ２)。また、照明装置１０は、自身が今まで第二照明装置であったかを判定し(ステップ３)、第二照明装置であった場合は、自身が第二照明装置である情報をリセットする(ステップ４)し、受信したＭＡＣアドレスと自身のＭＡＣアドレスが一致しているか判定する（ステップ５）。ステップ３において自身が今まで第二照明装置ではない場合はステップ５に進む。ステップ５において、受信したＭＡＣアドレスと自身のＭＡＣアドレスが一致した場合は、自身を第二照明装置に設定し(ステップ６)、他の照明装置１０に自身が第二照明装置であることを通知する(ステップ７)。ステップ５において、一致しない場合は、設定変更をせずにステップ１へ戻る。
【００３９】
このように、端末２０から設定変更の信号を送信することにより、子機としての第一照明装置と親機としての第二照明装置の設定を任意に変更することができる。
【００４０】
具体的には、図１を参照すると、例えば、子機としての第一照明装置１０Ｄを親機としての第二照明装置に設定変更する場合は、端末２０から第二照明装置１０Ａに第一照明装置１０Ｄを第二照明装置に変更する信号（第一照明装置１０ＤのＭＡＣアドレス）を送信し、信号を受信した第二照明装置１０Ａは、受信した信号を第一照明装置１０Ｂ、１０Ｃ、１０Ｄへ送信する。信号を受信した第二照明装置１０Ａ、第一照明装置１０Ｂ、１０Ｃは、それぞれ受信したＭＡＣアドレスと自身のＭＡＣアドレスを比較し、自身のＭＡＣアドレスと一致した第一照明装置１０Ｄが第二照明装置に変更される。
【００４１】
また、端末２０から直接第一照明装置１０Ｄに第一照明装置１０Ｄが第二照明装置となるように信号（第一照明装置１０ＤのＭＡＣアドレス）を送信し設定を変更することができる。また、端末２０から第一照明装置１０Ｃに第一照明装置１０Ｄが第二照明装置となるように信号（第一照明装置１０ＤのＭＡＣアドレス）を送信し第一照明装置１０Ｄを第二照明装置に変更することができる。このように、使用者は、端末２０を用いて子機としての第一照明装置を親機としての第二照明装置に変更することができる。
【００４２】
また、親機としての第二照明装置と子機としての第一照明装置の設定が変更になった場合、第二照明装置がこれまで収集し格納していた第一照明装置の点検情報を、新たに第二照明装置になった照明装置へ送信することができる。例えば、子機としての第一照明装置１０Ｄが親機としての第二照明装置に変更した場合、これまで第二照明装置であった第二照明装置１０Ａが格納していた第一照明装置１０Ｂ、１０Ｃ、１０Ｄの点検情報を、新たに第二照明装置になった照明装置１０Ｄへすべて送信する。これにより、使用者はどの第一照明装置からも蓄積された点検情報を収集できる。
【００４３】
以上のことから、第一照明装置と第二照明装置を任意に変更することができることから、使用者は点検時にどの第一照明装置からでも全照明装置の点検情報を得ることができるため点検作業が容易になり点検作業の効率が向上する。
【００４４】
また、本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１００  照明システム
１０  非常用照明装置  
２０  端末
１    非常用ランプ
２    無線通信機
【図１】
2018120777.tif 000003
【図２】
2018120777.tif 000004
【図３】
2018120777.tif 000005
【図４】
2018120777.tif 000006
【図５】
2018120777.tif 000007
【図６】
2018120777.tif 000008